(57)【要約】【課題】簡易な構成で封筒の口糊に十分な水を供給することができる封緘装置を提供する。【解決手段】フラップ部２０ａと袋部２０ｂを有する封筒２０を載せる封筒載置台７と、封筒２０を載せた封筒載置台７を、フラップ部２０ａの長手方向に沿って移動させる移動機構３と、封筒載置台７の移動中に、口糊２０ｃに水を供給する水供給部８と、口糊２０ｃに水が供給されたフラップ部２０ａを袋部２０ｂ側に折り込むフラップ部折り込みガイド５と、フラップ部折り込みガイド５で折り込まれたフラップ部２０ａを袋部２０ｂ側に押圧して封筒２０を封緘する押圧部材６と、を備え、水供給部８は、封筒載置台７の移動に応じて駆動される駆動機構１１と、水を溜めている貯水槽１０と、少なくとも一部分が貯水槽１０の水中に浸されており、水中に浸された部分が駆動機構１１により移動されて口糊２０ｃに水を塗布する水塗布部材１２ｋと、からなる。【選択図】図２
2015071250.tif 000002
【特許請求の範囲】
【請求項１】
フラップ部と袋部を有し前記フラップ部に口糊が塗布されている封筒を封緘する封緘装置であって、
前記封筒を載せる封筒載置台と、
前記封筒を載せた前記封筒載置台を、前記フラップ部の長手方向に沿って移動させる移動機構と、
前記封筒載置台の移動中に、前記口糊に水を供給する水供給部と、
前記口糊に水が供給された前記フラップ部を前記袋部側に折り込むフラップ部折り込みガイドと、
前記フラップ部折り込みガイドで折り込まれた前記フラップ部を前記袋部側に押圧して前記封筒を封緘する押圧部材と、を備え、
前記水供給部は、
前記封筒載置台の移動に応じて駆動される駆動機構と、
水を溜めている貯水槽と、
少なくとも一部分が前記貯水槽の水中に浸されており、前記水中に浸された部分が前記駆動機構により移動されて前記封筒の前記口糊に水を塗布する水塗布部材と、からなる
ことを特徴とする封緘装置。
【請求項２】
請求項１記載の封緘装置において、前記フラップ部を前記水塗布部材に押し付けるフラップ部押さえ部材を備えていることを特徴とする封緘装置。
【請求項３】
請求項１または２記載の封緘装置において、前記フラップ部折り込みガイドは、入り口がラッパ状に広がった形状のラッパ状受入部を有し、該ラッパ状受入部で前記封筒の前記口糊がついてる側の前記フラップ部の面を前記袋部側に折り込むことを特徴とする封緘装置。
【請求項４】
請求項１から３のいずれか１項に記載の封緘装置において、前記封筒載置台は、載置された前記封筒の前記袋部の下端が接する棚部と、該棚部が固定されると共に前記袋部を垂直または斜めに支持する載置台本体とからなり、さらに、前記棚部の高さを前記封筒のサイズに合わせて調節する調節機構が設けられていることを特徴とする封緘装置。
【請求項５】
請求項１から４のいずれか１項に記載の封緘装置において、前記移動機構は手動または自動で駆動されることを特徴とする封緘装置。
【発明の詳細な説明】
【技術分野】
【０００１】
本発明は封筒の封緘装置に関する。
【背景技術】
【０００２】
従来、封筒を封緘する際、手動で行う場合は、スポンジなどを利用して封筒のフラップ部の口糊に水を塗布し、フラップ部を手で袋部側に折り曲げて封緘するしかなく、非常に手間がかかる。そこで、簡単な構成で封筒のフラップ部の口糊に水を塗布し、フラップ部を袋部側に折り曲げて封緘する封緘装置が提案されている（特許文献１、２参照）。
【先行技術文献】
【特許文献】
【０００３】
【特許文献１】特開２０１２−４５７５４号公報
【特許文献２】特開２０１２−６６５２２号公報
【発明の概要】
【発明が解決しようとする課題】
【０００４】
上記従来の封緘装置では、封筒の口糊に水を塗布する際、水はスポンジ等により毛細管現象により供給されるものである。
【０００５】
しかしながら、毛細管現象により水が供給されるものは、封筒の口糊への十分な水の塗布ができずに、封緘後の封筒のフラップ部の一部がはがれてしまうという問題がある。
【０００６】
そこで、本発明は、簡易な構成で封筒の口糊に十分な水を供給することができる封緘装置を提供することを目的とする。
【課題を解決するための手段】
【０００７】
本発明は上記課題に鑑みなされたものであり、請求項１に記載の発明は、
フラップ部と袋部を有し前記フラップ部に口糊が塗布されている封筒を封緘する封緘装置であって、
前記封筒を載せる封筒載置台と、
前記封筒を載せた前記封筒載置台を、前記フラップ部の長手方向に沿って移動させる移動機構と、
前記封筒載置台の移動中に、前記口糊に水を供給する水供給部と、
前記口糊に水が供給された前記フラップ部を前記袋部側に折り込むフラップ部折り込みガイドと、
前記フラップ部折り込みガイドで折り込まれた前記フラップ部を前記袋部側に押圧して前記封筒を封緘する押圧部材と、を備え、
前記水供給部は、
前記封筒載置台の移動に応じて駆動される駆動機構と、
水を溜めている貯水槽と、
少なくとも一部分が前記貯水槽の水中に浸されており、前記水中に浸された部分が前記駆動機構により移動されて前記封筒の前記口糊に水を塗布する水塗布部材と、からなる
ことを特徴とする。
【０００８】
請求項２に記載の発明は、請求項１記載の封緘装置において、前記フラップ部を前記水塗布部材に押し付けるフラップ部押さえ部材を備えていることを特徴とする。
【０００９】
請求項３に記載の発明は、請求項１または２記載の封緘装置において、前記フラップ部折り込みガイドは、入り口がラッパ状に広がった形状のラッパ状受入部を有し、該ラッパ状受入部で前記封筒の前記口糊がついてる側の前記フラップ部の面を前記袋部側に折り込むことを特徴とする。
【００１０】
請求項４に記載の発明は、請求項１から３のいずれか１項に記載の封緘装置において、前記封筒載置台は、載置された前記封筒の前記袋部の下端が接する棚部と、該棚部が固定されると共に前記袋部を垂直または斜めに支持する載置台本体とからなり、さらに、前記棚部の高さを前記封筒のサイズに合わせて調節する調節機構が設けられていることを特徴とする。
【００１１】
請求項５に記載の発明は、請求項１から４のいずれか１項に記載の封緘装置において、前記移動機構は手動または自動で駆動されることを特徴とする。
【発明の効果】
【００１２】
本発明の請求項１に記載の発明によれば、少なくとも一部分が貯水槽の水中に浸されており、水中に浸された部分が駆動機構により移動されて封筒の口糊に水を塗布する水塗布部材により、フラップ部の口糊に水が塗布されて供給されるので、簡易な構成で口糊に十分な水を供給することができる。
【００１３】
本発明の請求項２に記載の発明によれば、フラップ部が浮き上がって水塗布部材から離れて口糊への水供給が不十分になるのを防ぐことができる。
【００１４】
本発明の請求項３に記載の発明によれば、フラップ部を袋部側へ確実に折り込むことができる。
【００１５】
本発明の請求項４に記載の発明によれば、封筒のサイズが変わっても封緘を行うことができる。
【００１６】
本発明の請求項５に記載の発明によれば、手動または自動で封緘することができる。
【図面の簡単な説明】
【００１７】
【図１】封緘される封筒の外観を示す正面図である。
【図２】本発明に係る封緘装置の一実施形態における封筒載置台を示す側面図である。
【図３】本発明に係る封緘装置の一実施形態の構成を示す正面透視図である。
【図４】本発明に係る封緘装置の一実施形態の構成を示す右側面図である。
【図５】本発明に係る封緘装置の一実施形態の要部構成を示し、（ａ）は斜視図、（ｂ）は断面図である。
【発明を実施するための形態】
【００１８】
以下図面に従い、本発明の一実施形態について詳細に説明する。
【００１９】
本発明に係る封緘装置１で封緘される封筒２０は、図１に示すように、フラップ部２０ａと袋部２０ｂを有し、フラップ部２０ａと袋部２０ｂの間に折り込み線２０ｄがあり、フラップ部２０ａの表面には口糊２０ｃが予め塗布されている封筒である。口糊２０ｃは、通常乾いており、水が塗布されると活性化されて粘着性を帯びるものである。
【００２０】
本発明に係る封緘装置１は、図２〜図４に示すように、横長のベース２に固定された、移動機構３、フラップ部折り込みガイド５、押圧部材６及び駆動機構１１と、ベース２に移動機構３によってスライド移動可能に連結された封筒載置台７と、水供給部８と、を備えて構成されている。
【００２１】
移動機構３は、スライドパック型スライドレールで構成されており、アウターレール３ａと、該アウターレール３ａとインナーレール３ｂ間を転がり運動するボール３ｃと、がベース２側に設けられ、インナーレール３ｂが封筒載置台７側に設けられている。なお、この実施形態では、移動機構３は、スライドパック型スライドレールが用いられているが、テレスコープ型、ローラ型等の他のタイプを用いてもよい。
【００２２】
水供給部８は、水タンク９から水量調整管１７を介して水が補給され、一定レベルの水を溜めている貯水槽１０と、封筒載置台７の移動に応じて駆動される駆動機構１１と、その一部が貯水槽１０内の水中に浸され、駆動機構１１により駆動されて封筒２０の口糊２０ｃに水を供給する水塗布部材１２ｋと、からなる。貯水槽１０上部には水タンク９があり、水量調整管１７で貯水槽１０の水面１０ａの高さを監視し、貯水槽１０の水が減りその水面１０ａが下がると、大気圧と水圧のバランスを利用して水タンク９から水量調整管１７を介して水が供給され、水面１０ａの高さが常に一定に保たれる。
【００２３】
駆動機構１１は、ベース２の背面側に設けられている。駆動機構１１は、ベース２の下部に回転可能に取り付けられ、封筒載置台７の下部に固定されたラック９ａに噛み合うピニオン９ｂと、ピニオン９ｂの回転軸に固定された第１丸ベルトプーリ１２ｃと、ベース２の上部に回転可能に固定された第２丸ベルトプーリ１２ｄと、該第２丸ベルトプーリ１２ｄと第１丸ベルトプーリ１２ｃ間にかけられた第１丸ベルト１２ｅと、第２丸ベルトプーリ１２ｄと同軸上の手前側にある第３丸ベルトプーリ１２ｆと、ベース２の第３丸ベルトプーリ１２ｆの横方向の位置に回転可能に固定された第４丸ベルトプーリ１２ｇと、第３丸ベルトプーリ１２ｆと第４丸ベルトプーリ１２ｇ間にかけられた第２丸ベルト１２ｈと、第４丸ベルトプーリ１２ｇと同軸上にある第１ローラ１２ｉと、該第１ローラ１２ｉの斜め下方に回転可能に固定された第２ローラ１２ｊと、からなる。水揚げベルト１２ｋは、第１ローラ１２ｉと第２ローラ１２ｊ間にかけわたされ、少なくとも一部分が貯水槽１０内の水中に浸される。水揚げベルト１２ｋは、水を吸収する材料、例えば超吸水クロスで作られている。また、駆動機構１１は、水揚げベルト１２ｋを封筒載置台７の移動に応じて駆動できるものであれば、どのような構成にしてもよい。また、水塗布部材としての水揚げベルト１２ｋは、ベルト以外の形態でもよい。
【００２４】
フラップ部折り込みガイド５は、ベース２の他方の端部側の上方に取り付けられている。フラップ部折り込みガイド５は、ラッパ状受入部４ａを有し、このラッパ状受入部４ａにより封筒２０の口糊２０ｃがついてる側のフラップ部２ａの面を袋部２０ｂ側に折り込む。
【００２５】
押圧部材６は、例えば板バネで構成され、封筒２０の折り込まれたフラップ部２０ａと袋部２０ｂとを押圧して封緘する。この実施形態では、押圧部材６は、ベース２の他方の端部付近の上方に２箇所設けられている。
【００２６】
封筒載置台７は、載せられた封筒２０の袋部２０ｂの下端が接する棚を有する棚部７ａと、該棚部７ａが固定されると共に袋部２０ｂを支持する載置台本体７ｂと、載置台本体７ｂの側部に取り付けられた側板７ｃと、側板７ｃに取り付けられた取っ手１５と、からなる。封筒載置台７は、封緘装置１のベース２の長手方向にベース２の一方の端部から他方の端部までスライド移動可能にインナーレール３ｂで連結されている。インナーレール３ｂは、載置台本体７ｂの中間部に取り付けられている。載置台本体７ｂの下部には、ラック＆ピニオン９のラック９ａが取り付けられている。
【００２７】
また、封筒２０のサイズに応じて棚部７ａの高さを調節するための調節機構１７が設けられている。調節機構１７は、棚部７ａの長手方向の３箇所に設けられた幅方向の長穴７ｄと、該長穴７ｄに挿入され、高さが調節された棚部７ａを載置台本体７ｂに固定するネジ１７ａと、からなる。この調節機構１７により、サイズの異なる封筒２０が載置されても、口糊２０ｃが水揚げベルト１２ｋと接する位置になるように棚部７ａの高さが調整される。
【００２８】
図５に示すように、ベース２の上部には、封緘するために移動する封筒２０のフラップ部２０ａを支持するフラップ支持部２ａが設けられており、フラップ支持部２ａの一部に切欠部２ａ１が形成され、この切欠部２ａ１から、後述する水揚げ機構１１の第１ローラ１２ｉ及び水揚げベルト１２ｋが露出している。この切欠部２ａの上方には、板バネ状のフラップ部押さえ部材１６が設けられている。
【００２９】
移動機構３、駆動機構１１、フラップ部折り込みガイド５及び押圧部材６が取り付けられたベース２は、図４に示すように、水揚げベルト１２ｋの一部が貯水槽１０内の水中に浸されるように傾けて設置される。ここでは、水平面に対するベースの角度が６０度となるように傾けられており、それにより、封筒載置台７への封筒２０の載置が行い易く、封筒２０の納まりがよくなる。なお、この実施形態では、ベース２の角度を、水平面に対して６０度としているが、これに限らず、零度から９０度まで適宜変更可能である。
【００３０】
次に、このような構成の封緘装置の動作について説明する。
【００３１】
封筒２０に内容物を封入後、図１に示すように、手動でフラップ部２０ａを袋部２０ｂに対して約９０度広げた封筒２０を封緘装置１のベース２の一方の端部にある封筒載置台７上に載せる。この時、封筒２０の袋部２０ｂの下端が棚部７ａの棚に接し、口糊１０ｃが塗布されているフラップ部１０ａの表面が、ベース２の上部に設けられたフラップ支持部２ａに接するように、封筒２０が載置される。
【００３２】
次に、封筒２０を載せた封筒載置台７の取っ手１５を持ち、スライドレール３ａ上で封筒載置台７を手動でベース２の他方の端部に向けてフラップ部２０ａの長手方向に沿ってスライドさせると、ラック９ａも封筒載置台７と共に移動する。
【００３３】
ラック９ａの移動により、ラック９ａに噛み合っているピニオン９ｂが回転する。ピニオン９ａの回転は、第１丸ベルトプーリ１２ｃ、第１丸ベルト１２ｅ及び第２丸ベルトプーリ１２ｄを介して、第２丸ベルトプーリ１２ｄと同軸上にある第３丸ベルトプーリ１２ｆを回転させる。
【００３４】
第３丸ベルトプーリ１２ｆの回転は、第２丸ベルト１２ｈを介して第４丸ベルトプーリ１２ｇと第１ローラ１２ｉを回転させる。第１ローラ１２ｉが回転すると、その回転は、水塗りベルト１２ｋを介して第２ローラ１２ｊに伝達される。
【００３５】
第２ローラ１２ｊとこの第２ローラ１２ｊに巻き付いている水揚げベルト１２ｋは、それぞれ一部分が貯水槽１０の水中にある。第１ローラ１２ｉと第２ローラ１２ｊにかけられている水揚げベルト１２ｋが回転すると、水揚げベルト１２ｋの水を含んだ部分が、図５に示すように、封筒２０のフラップ部２０ａが通過するベース２のフラップ支持部２ａの切欠部２ａ１の場所まで移動する。
【００３６】
封筒２０のフラップ部２０ａが、切欠部２ａ１から露出している水塗りベルト１２ｋの場所まで移動すると、水揚げベルト１２ｋの水分を含んだ部分がフラップ部２０ａの口糊２０ｃに押し当てられることにより、口糊２０ｃに水が塗布される。その時、フラップ部２０ａが逃げないように、フラップ部２０ａの上部からフラップ部押さえ部材１６でフラップ部２０ａが押さえつけられる。
【００３７】
フラップ部２０ａは、水を塗られた状態（この時、フラップ部２０ａに予め塗られている口糊２０ｃが水で活性化されて溶け出し、口糊２０ｃは粘着性を帯びた状態になる）で、フラップ部折り込みガイド５へ移動する。
【００３８】
フラップ部折り込みガイド５は、フラップが引っかからないように入り口がラッパ状に広がった形状のラッパ状受入部４ａを有し、このラッパ状受入部４ａにより封筒２０の口糊２０ｃがついてる側のフラップ部２ａの面がフラップ部２０ａの移動につれて徐々に袋部２０ｂ側に折り込まれて行く。
【００３９】
フラップ部折り込みガイド５でフラップ部２０ａが折り込まれると、裏から押圧部材６によりフラップ部２０ａが袋部２０ｂに押しつけられ、封緘される。
【００４０】
封緘された封筒２０は人が手で引き出す。封筒２０を引き出したら、封筒載置台７を元の位置（ベース２の一方の端部側）に復帰させる。この復帰時に水塗りベルト１２ｋが逆回転しないように、ピニオン９ｂにワンウェイクラッチ（図示しない）が設けられている。
【００４１】
以上説明したように、本発明の実施形態によれば、封筒載置台７に載置された封筒２０が移動する途中で、フラップ部２０ａの口糊２０ｃに水揚げベルト１２ｋから水が供給される。この時、封筒載置台７の移動に応じて水揚げベルト１２ｋが回転して、貯水槽１０の水中に浸っていた部分が口糊２０ｃに接触するので、十分な量の水が口糊２０ｃに塗布される。したがって、口糊２０ｃは十分に活性化されて粘着性を帯びるため、従来のようなフラップ部の一部がはがれてしまうということがなく、封筒がしっかりと封緘される。
【００４２】
以上の通り、本発明の実施形態について説明したが、本発明はこれに限らず、種々の変形、応用が可能である。かかる変形、応用によってもなお本発明の構成を具備する限り、勿論、本発明の範疇に含まれる。
【００４３】
例えば、上述の実施形態では、封筒載置台７は手動で移動するが、これに代えてモータ等により自動で移動する構成とすることもできる。
【符号の説明】
【００４４】
１  封緘装置
２  ベース
３  移動機構
５  フラップ部折り込みガイド
６  押圧部材
７  封筒載置台
８  水供給部
９  水タンク
１０  貯水槽
１１  駆動機構
１２ｋ  水揚げベルト（水塗布部材）
１６  フラップ部押さえ部材
１７  調節機構
２０  封筒
２０ａ  フラップ部
２０ｂ  袋部
２０ｃ  口糊
【図１】
2015071250.tif 000003
【図２】
2015071250.tif 000004
【図３】
2015071250.tif 000005
【図４】
2015071250.tif 000006
【図５】
2015071250.tif 000007